(57)【特許請求の範囲】
【請求項１】
開口部を有するケース本体と、
前記ケース本体の前記開口部を塞ぐブラケットと、
前記ケース本体と前記ブラケットとの間に介在された環状のシールゴムとを備え、
前記ケース本体における前記開口部の周囲には、環状の溝部が設けられており、
前記シールゴムは、前記溝部に嵌め込まれており、
前記溝部の側壁には、前記シールゴムが前記溝部に嵌め込まれていることを確認するための複数の切欠部が形成されており、
前記複数の切欠部のうちの少なくとも１つの切欠部は、第１切欠部であり、
前記複数の切欠部のうちの他の切欠部は、第２切欠部であり、
前記第１切欠部の寸法は、前記第２切欠部の寸法よりも大きくなっており、
前記シールゴムには、前記第１切欠部と係合する突起部が設けられており、
前記突起部は、前記第２切欠部と係合しないことを特徴とする防水ケース。
【請求項２】
前記ブラケットは、前記ケース本体における前記開口部の反対側に張り出した張出部を有し、
前記第１切欠部は、前記溝部における前記張出部に対応する領域に形成されており、
前記突起部は、前記第１切欠部と係合した状態において前記ケース本体から前記張出部に向かって突き出ていることを特徴とする請求項１記載の防水ケース。
【請求項３】
前記溝部は、略矩形環状を有していることを特徴とする請求項１または２記載の防水ケース。
【請求項４】
前記切欠部は、前記溝部の４辺に対応する領域の側壁にそれぞれ形成されていることを特徴とする請求項３記載の防水ケース。
【請求項５】
前記切欠部は、前記溝部の対向する２つの長辺に対応する領域の側壁に少なくとも２つずつ形成されていることを特徴とする請求項３または４記載の防水ケース。
【発明の詳細な説明】
【技術分野】
【０００１】
本発明は、防水ケースに関する。
【背景技術】
【０００２】
防水ケースの防水性を確保するためには、例えば特許文献１に記載されているように、柔軟なゴム材料等からなる弾性シール部材をケース本体に取り付けている。弾性シール部材がケース本体に適切に取り付けられていないと、防水ケースの防水機能が低下する。特許文献１に記載されている防水ケースの検査方法では、防水ケースの内部を減圧し、防水ケース内の圧力の変化により防水性の確認を行っている。
【先行技術文献】
【特許文献】
【０００３】
【特許文献１】特開平５−１９６５３６号公報
【発明の概要】
【発明が解決しようとする課題】
【０００４】
しかしながら、上記従来技術においては、防水ケースの防水性の確認を行う際に、防水ケースの内部を減圧するための装置が必要となるため、余分な費用が発生してしまうという問題がある。
【０００５】
本発明の目的は、防水性の確認を安価に行うことができる防水ケースを提供することである。
【課題を解決するための手段】
【０００６】
本発明の防水ケースは、開口部を有するケース本体と、ケース本体の開口部を塞ぐブラケットと、ケース本体とブラケットとの間に介在された環状のシールゴムとを備え、ケース本体における開口部の周囲には、環状の溝部が設けられており、シールゴムは、溝部に嵌め込まれており、溝部の側壁には、シールゴムが溝部に嵌め込まれていることを確認するための切欠部が形成されており、シールゴムには、切欠部と係合する突起部が設けられていることを特徴とする。
【０００７】
このように本発明の防水ケースにおいては、シールゴムが嵌め込まれる環状の溝部をケース本体における開口部の周囲に設け、溝部の側壁に切欠部を形成することにより、切欠部を覗くことでシールゴムが溝部に嵌め込まれているかどうかを確認することができる。これにより、防水ケースの防水性の確認を安価に行うことができる。さらに、シールゴムに突起部を設け、その突起部を切欠部に係合させることで、シールゴムを環状の溝部に対して適切に位置決めすることができる。
【０００８】
ブラケットは、ケース本体における開口部の反対側に張り出した張出部を有し、切欠部は、溝部における張出部に対応する領域に形成されており、突起部は、切欠部と係合した状態においてケース本体から張出部に向かって突き出ていてもよい。この場合には、シールゴムの突起部が切欠部に係合した状態では、突起部がケース本体から張出部に向かって突き出る。従って、切欠部が張出部に隠れて見えなくても、突起部がケース本体から突き出ているか否かを確認することで、シールゴムが溝部に嵌め込まれているかどうかを確認することができる。
【０００９】
溝部は、略矩形環状を有し、切欠部は、溝部の側壁に複数形成されており、突起部は、複数の切欠部のうちの少なくとも１つと係合していてもよい。このように切欠部を複数形成することにより、シールゴムが溝部に嵌め込まれているかどうかを複数の箇所において確認することができる。
【００１０】
切欠部は、溝部の４辺に対応する領域の側壁にそれぞれ形成されていてもよい。この場合には、シールゴムが溝部に全周にわたって嵌め込まれているかどうかを確認することができる。
【００１１】
切欠部は、溝部の対向する２つの長辺に対応する領域の側壁に少なくとも２つずつ形成されていてもよい。この場合には、シールゴムが溝部の対向する２つの長辺に対応する領域に適切に嵌め込まれているかどうかを確認することができる。
【発明の効果】
【００１２】
本発明によれば、防水性の確認を安価に行うことができる防水ケースが提供される。
【図面の簡単な説明】
【００１３】
【図１】防水ケースの一実施形態を示す分解斜視図である。
【図２】図１に示された防水ケースの一部の斜視図である。
【図３】図１に示された防水ケースの側面図である。
【発明を実施するための形態】
【００１４】
以下、本発明の実施形態について、図面を参照して詳細に説明する。なお、図面において、同一または同等の要素には同じ符号を付し、重複する説明を省略する。
【００１５】
図１は、防水ケースの一実施形態を示す分解斜視図である。図２は、図１に示された防水ケースの一部の斜視図であり、図３は、図１に示された防水ケースの側面図である。
【００１６】
各図において、本実施形態に係る防水ケース１は、例えばフォークリフト等の産業車両に搭載され、通信用の変換装置を収容する。防水ケース１は、断面略矩形状のケース本体２と、このケース本体２に着脱自在に取り付けられた断面Ｌ字型のブラケット３と、ケース本体２とブラケット３との間に介在された環状のシールゴム４とを備えている。
【００１７】
ケース本体２は、例えばポリプロピレン（ＰＰ）等の樹脂で形成されている。ケース本体２は、射出成型によって作製される。ケース本体２は、上面２ａ、下面２ｂ、２つの側面２ｃ及び背面２ｄを有している。また、ケース本体２は、正面側（前側）に開口した開口部２ｅを有している。
【００１８】
ケース本体２の各側面２ｃには、ブラケット３をケース本体２に固定するための固定用突部５が上下２つずつ設けられている。各固定用突部５には、ネジ６がねじ込まれるネジ穴５ａが形成されている。
【００１９】
ケース本体２の前端部、つまりケース本体２における開口部２ｅの周囲には、シールゴム４が嵌め込まれる略矩形環状の溝部７が設けられている。溝部７は、ケース本体２の前端面に開口している。
【００２０】
溝部７は、ケース本体２の上面２ａに対応する位置に設けられた長辺領域７ａと、ケース本体２の下面２ｂに対応する位置に設けられた長辺領域７ｂと、ケース本体２の各側面２ｃに対応する位置に設けられた２つの短辺領域７ｃとを有している。長辺領域７ａ，７ｂは、溝部７の４辺のうち互いに対向する２つの長辺に対応する領域である。各短辺領域７ｃは、溝部７の４辺のうち互いに対向する２つの短辺に対応する領域である。短辺領域７ｃの下側部分は、僅かに外側に膨らんでいる。
【００２１】
溝部７の長辺領域７ａには、シールゴム４が長辺領域７ａに嵌め込まれていることを確認するための矩形状の切欠部８，９が形成されている。切欠部８，９は、溝部７におけるケース本体２の上面２ａ側（外面側）の側壁に形成されている。切欠部８，９は、溝部７の長辺領域７ａの中心位置からずれた状態で、所定距離だけ離間して配置されている。切欠部８の寸法は、切欠部９の寸法よりも大きくなっている（図２参照）。
【００２２】
溝部７の長辺領域７ｂには、シールゴム４が長辺領域７ｂに嵌め込まれていることを確認するための２つの矩形状の切欠部１０が形成されている。各切欠部１０は、溝部７におけるケース本体２の下面２ｂ側（外面側）の側壁に形成されている。各切欠部１０は、溝部７の長辺領域７ｂの中心位置からずれた状態で、所定距離だけ離間して配置されている。切欠部１０の寸法は、切欠部８の寸法と同様である。
【００２３】
溝部７の各短辺領域７ｃには、シールゴム４が短辺領域７ｃに嵌め込まれていることを確認するための矩形状の切欠部１１がそれぞれ形成されている。切欠部１１は、溝部７におけるケース本体２の側面２ｃ側（外面側）の側壁に形成されている。切欠部１１の寸法は、切欠部９の寸法と同様である。
【００２４】
なお、切欠部８〜１１の形状は、特に矩形状には限られず、半円状等でもよい。さらに、溝部７の長辺領域７ａ，７ｂに形成する切欠部の数は、３つ以上でもよく、溝部７の短辺領域７ｃに形成する切欠部の数は、２つ以上でもよい。
【００２５】
ブラケット３は、ケース本体２の開口部２ｅを塞ぐ蓋部１２と、この蓋部１２の下端部からケース本体２の背面２ｄ側（開口部２ｅの反対側）に張り出した張出部１３とを有している。張出部１３は、防水ケース１を任意の箇所にネジ等で固定するための固定部を構成している。ブラケット３は、例えば鉄板で形成されている。
【００２６】
ケース本体２の下面２ｂと張出部１３との間には、所望の隙間が設けられている（図３参照）。蓋部１２には、コネクタ１４が取り付けられている。また、蓋部１２には、ネジ６を通す４つの挿通孔１２ａがコネクタ１４を挟むように形成されている。
【００２７】
シールゴム４は、ケース本体２とブラケット３との間をシールする部材である。シールゴム４の外周面には、溝部７の切欠部８と嵌合（係合）する突起部１５と、溝部７の各切欠部１０と嵌合（係合）する２つの突起部１６とが設けられている。
【００２８】
突起部１６の高さは、突起部１５の高さよりも高くなっている。突起部１５が切欠部８と嵌合した状態では、突起部１５とケース本体２の上面２ａ側の側壁とが面一となっている。突起部１６が切欠部１０と嵌合した状態では、突起部１６がケース本体２の下面２ｂ側の側壁から張出部１３に向かって所定量だけ突き出ている（図３参照）。
【００２９】
突起部１５を切欠部８と嵌合させることにより、溝部７に対してシールゴム４を嵌め込む方向が決まっている場合でも、シールゴム４を溝部７に対して確実に位置合わせすることが可能となる。
【００３０】
シールゴム４の色は、ケース本体２及びブラケット３の色と異なっている。例えば、ケース本体２の色が黒色であり、ブラケット３の色が銀色であるのに対し、シールゴム４の色はピンク色である。
【００３１】
以上のような防水ケース１を組み付けるときは、ケース本体２の環状の溝部７にシールゴム４を嵌め込み、その状態で４つのネジ６をブラケット３の挿通孔１２ａを通してケース本体２の固定用突部５のネジ穴５ａにねじ込むことで、ブラケット３をケース本体２に固定する。そして、防水ケース１の組み付け後に、シールゴム４が溝部７に適切に嵌まっているかどうかを確認する。
【００３２】
具体的には、溝部７の長辺領域７ａに形成された切欠部８，９をケース本体２の上面２ａ側から覗くことで、長辺領域７ａにシールゴム４が適切に嵌まっているかどうかを確認する。また、溝部７の各短辺領域７ｃに形成された切欠部１１をケース本体２の両側面２ｃ側から覗くことで、各短辺領域７ｃにシールゴム４が適切に嵌まっているかどうかを確認する。さらに、ケース本体２の側面２ｃ側から、シールゴム４の突起部１６がケース本体２から突き出ているか否かによって、溝部７の長辺領域７ｂにシールゴム４が適切に嵌まっているかどうかを確認する。
【００３３】
このとき、シールゴム４の色がケース本体２及びブラケット３の色と異なっているので、シールゴム４が溝部７に嵌め込まれているかどうかの確認が行いやすい。
【００３４】
以上のように本実施形態にあっては、シールゴム４が嵌め込まれる環状の溝部７をケース本体２における開口部２ｅの周囲に設け、溝部７の側壁に切欠部８〜１１を形成したので、切欠部８，９，１１を覗くことでシールゴム４が溝部７に嵌め込まれているかどうかを確認することができる。これにより、シールゴム４が所望の位置にあるかどうかを確認するための専用の装置及び治具が不要となるので、防水ケース１の防水性の確認を安価に行うことができる。さらに、シールゴム４に突起部１５，１６を設け、突起部１５を溝部７の切欠部８に嵌合させると共に突起部１６を溝部７の切欠部１０に嵌合させるので、シールゴム４を環状の溝部７に対して適切に位置決めすることができる。
【００３５】
また、突起部１６が切欠部１０に嵌合した状態では、突起部１６がケース本体２から突き出る。従って、切欠部１０がブラケット３の張出部１３に隠れて見えない状態であっても、突起部１６がケース本体２から突き出ているか否かを確認することで、シールゴム４が溝部７の長辺領域７ｂに嵌め込まれているかどうかを確認することができる。
【００３６】
さらに、溝部７の長辺領域７ａに切欠部８，９を形成し、溝部７の長辺領域７ｂに２つの切欠部１０を形成し、溝部７の各短辺領域７ｃに切欠部１１をそれぞれ形成したので、シールゴム４が溝部７に全周にわたって嵌め込まれているかどうか、シールゴム４が長辺領域７ａ，７ｂに適切に嵌め込まれているかどうかを、複数の箇所において確認することができる。
【００３７】
なお、本発明は、上記実施形態には限定されない。例えば、上記実施形態では、ブラケット３に張出部１３を設けたが、そのような張出部１３は無くてもよい。このときは、シールゴム４の突起部１６をケース本体２から突き出す構成としなくてもよいし、或いはシールゴム４にそのような突起部１６を設けなくてもよい。つまり、突起部は、シールゴム４に少なくとも１つ設けられていればよい。この場合には、ブラケット３及びシールゴム４の構造を簡単化することができる。
【００３８】
また、上記実施形態では、溝部７の長辺領域７ａ，７ｂに切欠部を２つ以上形成し、溝部７の短辺領域７ｃに切欠部を１つ以上形成したが、特にそれには限られず、溝部７の長辺領域７ａ，７ｂに形成する切欠部の数を１つとし、溝部７の短辺領域７ｃには切欠部を形成しなくてもよい。また、溝部７に形成する切欠部の総数は、１つだけでもよい。この場合には、ケース本体２の構造を簡単化することができる。
【００３９】
さらに、上記実施形態では、シールゴム４の色がケース本体２及びブラケット３の色と異なっているが、シールゴム４の色をケース本体２と同じ色としてもよい。
【００４０】
また、上記実施形態では、ケース本体２の形状を断面略矩形状とし、それに合わせて溝部７の形状を略矩形環状としたが、ケース本体２及び溝部７の形状としては、特にそれには限られない。例えば、ケース本体２の形状を断面略台形状とし、それに合わせて溝部７の形状を略台形環状としてもよい。
【符号の説明】
【００４１】
１…防水ケース、２…ケース本体、３…ブラケット、４…シールゴム、２ｅ…開口部、７…溝部、７ａ，７ｂ…長辺領域、７ｃ…短辺領域、８〜１１…切欠部、１３…張出部、１５，１６…突起部。
【図１】
0006292063.tif 000002
【図２】
0006292063.tif 000003
【図３】
0006292063.tif 000004